(57)【要約】【課題】より反射率の高い表面めっき層を形成できる銅条、めっき付銅条及びリードフレームを提供する。【解決手段】下地めっき層が成長されることとなる銅条であって、下地めっき層の成長速度が銅条の下地めっき層成長面で面内均一となるように、下地めっき層成長面には、非晶質な領域又は微細な結晶粒からなる領域の少なくともいずれかが形成されている。【選択図】図１
2015030892.tif 000002
【特許請求の範囲】
【請求項１】
下地めっき層が成長されることとなる銅条であって、
前記下地めっき層の成長速度が前記銅条の下地めっき層成長面で面内均一となるように、前記下地めっき層成長面には、非晶質な領域又は微細な結晶粒からなる領域の少なくともいずれかが形成されている
ことを特徴とする銅条。
【請求項２】
前記下地めっき層成長面は、ＥＢＳＤ法にて、測定領域を９０μｍ×１２０μｍとし、測定間隔を０．２μｍとして測定することで得られる信頼性指数が０．１以下である測定点の割合が５０％以上である面である
ことを特徴とする請求項１に記載の銅条。
【請求項３】
下地めっき層が成長されることとなる銅条であって、
前記銅条の下地めっき層成長面は、ＥＢＳＤ法にて、測定領域を９０μｍ×１２０μｍとし、測定間隔を０．２μｍとして測定することで得られる信頼性指数が０．１以下である測定点の割合が５０％以上である面である
ことを特徴とする銅条。
【請求項４】
前記信頼性指数の測定は、ケミカルエッチングにより前記下地めっき層成長面が５０ｎｍ以上除去された後、行われる
ことを特徴とする請求項２又は３に記載の銅条。
【請求項５】
請求項１ないし４のいずれかに記載の銅条の下地めっき層成長面に、下地めっき層として、Ｃｕめっき層又はＮｉめっき層の少なくともいずれかが成長されて形成されている
ことを特徴とするめっき付銅条。
【請求項６】
前記下地めっき層上には、光を反射させる前記表面めっき層としてＡｇめっき層が成長されて形成されている
ことを特徴とする請求項５に記載のめっき付銅条。
【請求項７】
請求項５又は６に記載のめっき付銅条を用いて形成した
ことを特徴とするリードフレーム。
【発明の詳細な説明】
【技術分野】
【０００１】
本発明は、リードフレームに好適に用いられる銅条、めっき付銅条及びリードフレームに関する。
【背景技術】
【０００２】
近年、発光ダイオード（ＬＥＤ；Light Emitting Diode）は、銅条を用いて形成されるリードフレームと、リードフレーム上に搭載されるＬＥＤチップ等の発光素子と、を備えて構成されている。このような銅条には、例えば、下地めっき層としての銅（Ｃｕ）めっき層又はニッケル（Ｎｉ）めっき層の少なくともいずれかと、表面めっき層として発光素子からの光を反射させる銀（Ａｇ）めっき層と、が形成されている。Ａｇめっき層は、銅条の発光素子を搭載する側の面上に成長されている。Ａｇめっき層は、全可視光波長域において反射率に優れる。このため、Ａｇめっき層が設けられると、発光素子から発光された光がＡｇめっき層で反射されて、発光素子からの光を外部へと効率よく出射させることができる。その結果、ＬＥＤ（ＬＥＤモジュール）の発光出力（光度）、光束、輝度等の光学性能をより向上させることができる。
【０００３】
ＬＥＤの光学性能の評価は、例えば積分球を用いて測定した全光束によって行われる。すなわち、ＬＥＤの光学性能は、積分球中にサンプル光源を入れてセンサで光を受ける方式で測定されて評価される。従って、ＬＥＤの光学性能は、ＬＥＤが備えるＡｇめっき層等の表面めっき層の表面の状態に大きく影響される。例えば、Ａｇめっき層等の表面の光沢度が低く、光沢ムラが発生していると、積分球法により測定した全光束が低くなり、光学性能が低いと評価される。すなわち、Ａｇめっき層等の表面に光沢ムラが発生していると、Ａｇめっき層の反射率が低下し、ＬＥＤの光学性能が低下してしまう。
【０００４】
そこで、例えば、金属基材（例えば銅条）の表面に形成される加工変質層の厚さが所定値以下となるように、加工変質層を除去する技術が提案されている（例えば特許文献１参照）。これにより、このような金属基材上にＡｇめっきが施された際に、めっきの異常析出が抑制される。従って、Ａｇめっき層の反射率の低下を抑制できる。
【先行技術文献】
【特許文献】
【０００５】
【特許文献１】特開２００７−３９８０４号公報
【発明の概要】
【発明が解決しようとする課題】
【０００６】
近年、ＬＥＤの使用用途が拡大してきている。このため、ＬＥＤの光学性能をより向上させることが要求されている。すなわち、Ａｇめっき層等の表面めっき層の反射率をより高くすることが要求されている。しかしながら、従来のようなＡｇめっき層の反射率を向上させる方法では、要求されるＡｇめっき層の反射率を満足することが難しかった。
【０００７】
本発明は、上記課題を解決し、より反射率の高い表面めっき層を形成できる銅条、めっき付銅条及びリードフレームを提供することを目的とする。
【課題を解決するための手段】
【０００８】
上記課題を解決するために、本発明は次のように構成されている。
本発明の第１の態様によれば、下地めっき層が成長されることとなる銅条であって、前記下地めっき層の成長速度が前記銅条の下地めっき層成長面で面内均一となるように、前記下地めっき層成長面には、非晶質な領域又は微細な結晶粒からなる領域の少なくともいずれかが形成されている銅条が提供される。
【０００９】
本発明の第２の態様によれば、前記下地めっき層成長面は、ＥＢＳＤ法にて、測定領域を９０μｍ×１２０μｍとし、測定間隔を０．２μｍとして測定することで得られる信頼性指数が０．１以下である測定点の割合が５０％以上である面である第１の態様の銅条が提供される。
【００１０】
本発明の第３の態様によれば、下地めっき層が成長されることとなる銅条であって、前記銅条の下地めっき層成長面は、ＥＢＳＤ法にて、測定領域を９０μｍ×１２０μｍとし、測定間隔を０．２μｍとして測定することで得られる信頼性指数が０．１以下である測定点の割合が５０％以上である面である銅条が提供される。
【００１１】
本発明の第４の態様によれば、前記信頼性指数の測定は、ケミカルエッチングにより前記下地めっき層成長面が５０ｎｍ以上除去された後、行われる第２又は第３の態様の銅条が提供される。
【００１２】
本発明の第５の態様によれば、前記第１ないし第４のいずれかの態様の銅条の下地めっき層成長面に、下地めっき層として、Ｃｕめっき層又はＮｉめっき層の少なくともいずれかが成長されて形成されているめっき付銅条が提供される。
【００１３】
本発明の第６の態様によれば、前記下地めっき層上には、光を反射させる表面めっき層としてＡｇめっき層が成長されて形成されている第５の態様のめっき付銅条が提供される。
【００１４】
本発明の第７の態様によれば、第５又は第６の態様のめっき付銅条を用いて形成したリードフレームが提供される。
【発明の効果】
【００１５】
本発明にかかる銅条、めっき付銅条及びリードフレームによれば、より反射率の高い表面めっき層を形成することができる。
【図面の簡単な説明】
【００１６】
【図１】本発明の一実施形態にかかるめっき付銅条の概略断面図である。
【図２】本発明の一実施形態にかかる銅条めっき付銅条の製造工程を示すフロー図である。
【図３】本発明の一実施例にかかる銅条の下地めっき層成長面のＩＰＦマップである。
【図４】本発明の一実施例にかかるＣＩ値とＣＩ値の積算割合との関係を示すグラフ図である。
【図５】本発明の一実施例にかかる銅条に形成したＡｇめっき層の照射光の波長と反射率との関係を示すグラフ図である。
【図６】（ａ）は、本発明の一実施例にかかる銅条に形成したＡｇめっき層の表面のＳＥＭ画像であり、（ｂ）は、本発明の一比較例にかかる銅条に形成したＡｇめっき層の表面のＳＥＭ画像である。
【図７】従来の銅条に形成したＡｇめっき層の表面のＳＥＭ画像である。
【発明を実施するための形態】
【００１７】
（発明者等が得た知見）
まず、本発明の実施形態の説明に先立ち、発明者等が得た知見について説明する。
【００１８】
本発明者等の鋭意検討により、上述したような銅条に形成された光を反射させる表面めっき層としてのＡｇめっき層の反射率を低下させる主な原因は、例えば図７に示すように、Ａｇめっき層の表面に形成される山脈のような凸部（山脈状凸部）であることが分かった。図７は、従来の銅条に形成したＡｇめっき層表面のＳＥＭ画像である。図７に示すＳＥＭ画像は、銅条と、下地めっき層としてのＣｕめっき層又はＮｉめっき層の少なくともいずれかと、表面めっき層としてのＡｇめっき層と、を備える試料であるめっき付銅条を、紙面の上下方向に７０度傾斜させて、Ａｇめっき層の側から撮影している。これは、試料の真上から撮影すると、山脈状凸部が観察されにくいためである。図７において、紙面の左右方向が銅条の圧延方向となる。図７から、山脈状凸部は、銅条の圧延方向に沿って形成されていることが確認できる。例えば、山脈状凸部は、圧延方向に１０μｍ〜３０μｍの長さで連続して形成されていることが確認できる。また、山脈状凸部は、銅条の圧延方向と直交する方向に３０μｍ〜１００μｍ間隔で多数形成されていることが確認できる。
【００１９】
このような山脈状凸部は、銅条の下地めっき層が成長される面（下地めっき層成長面）の結晶組織の結晶方位に起因して形成されてしまうことが分かった。一般的に、銅条は、圧延加工と焼鈍加工とが所定回数繰り返されて形成される。この過程で、銅条の圧延面の結晶組織は、圧延方向と同じ方位の結晶方位や圧延方向に近い方位の結晶方位を持つ結晶粒が連なる傾向にある。下地めっき層としてのＣｕめっき層又はＮｉめっき層の成長は、銅条の圧延面、すなわち下地めっき層成長面の結晶粒の結晶方位に依存する。このため、下地めっき層の成長速度は、下地めっき層成長面の結晶粒の結晶方位によって異なる。これは、銅条に用いられる銅（Ｃｕ）と下地めっき層に用いられる銅（Ｃｕ）やニッケル（Ｎｉ）とが同じＦＣＣ金属であり、かつ、下地めっき層に用いられるＣｕやＮｉの平均粒子径が、銅条に用いられるＣｕの粒子径とほぼ同程度であるため、下地めっき層が、銅条の下地めっき層成長面の結晶粒（Ｃｕ）の結晶方位を受けてエピタキシャルに成長されやすいことに起因する。このため、下地めっき層成長面に、下地めっき層が面内均一に成長されず、下地めっき層成長面上に成長（電着）される下地めっき層の成膜量（成長量）に差が生じてしまう。すなわち、銅条の圧延方向に沿って、下地めっき層の厚さが厚い箇所と薄い箇所とが生じてしまう。これにより、下地めっき層の表面に山脈状凸部が形成されてしまうことが分かった。その結果、下地めっき層上に成長されて形成されるＡｇめっき層の表面に山脈状凸部が形成されてしまい、Ａｇめっき層の反射率が低下してしまうことが分かった。なお、下地めっき層成長面には、圧延加工を行う際に圧延ロールの表面から転写された筋等の凹凸が存在する。しかしながら、圧延加工の際に圧延ロールによって下地めっき層成長面に転写された凹凸は、Ａｇめっき層の表面に形成された山脈状凸部と直接の関係はない。
【００２０】
そこで、本発明者等は、銅条の下地めっき層成長面の結晶組織の状態から、Ａｇめっき層の表面をより平坦にする必要があると考えた。すなわち、より反射率の高いＡｇめっき層を形成するためには、銅条の下地めっき層成長面の結晶組織（結晶粒）の状態を調整する必要があると考えた。本発明は、発明者等が見出した上記知見に基づくものである。
【００２１】
（１）銅条及びめっき付銅条の構成
まず、本発明の一実施形態にかかる銅条及びめっき付銅条の構成について、主に図１を用いて説明する。図１は、本実施形態にかかるめっき付銅条１の概略断面図である。
【００２２】
図１に示すように、めっき付銅条１は、銅条２と、下地めっき層３と、表面めっき層４と、を備えて構成されている。銅条２の少なくともいずれかの主面上には、下地めっき層３が成長されて形成されている。銅条２は、良好な機械的強度と電気伝導性とを兼ね備えている。このような銅条２は、銅や銅合金等の鋳塊に圧延処理や焼鈍処理等を行うことで形成される。
【００２３】
銅条２の形成材料としては、鉄（Ｆｅ）や、ニッケル（Ｎｉ）、コバルト（Ｃｏ）等を含有する銅合金を用いることができる。例えば、銅条２の形成材料として、Ｆｅと燐（Ｐ）とを含有するＣｕ−Ｆｅ−Ｐ系の銅合金が用いられるとよい。Ｃｕ−Ｆｅ−Ｐ系の銅合金として、例えば、０．０５ｗｔ％〜０．１５ｗｔ％のＦｅと、０．０２５ｗｔ％〜０．０４ｗｔ％のＰとを含有する銅合金（Ｃ１９２１０）や、２．１ｗｔ％〜２．６ｗｔ％のＦｅと、０．０１５ｗｔ％〜０．１５ｗｔ％のＰと、０．０５ｗｔ％〜０．２０ｗｔ％の亜鉛（Ｚｎ）とを含有する銅合金（Ｃ１９４００）が広く知られている。この他、例えば、銅条２の形成材料として、無酸素銅（ＯＦＣ；Oxygen-Free Copper）や、ジルコニウム（Ｚｒ）を含有するＣｕ−Ｚｒ系の銅合金（例えばＣ１５１５０）や、所定量のＺｎとＮｉとＰとシリコン（Ｓｉ）とをそれぞれ含有するコルソン系の銅合金等を用いてもよい。このように、本実施形態では、銅合金を用いて形成される銅合金条も銅条２に含めて考える。
【００２４】
銅条２の下地めっき層が成長される面（以下では、単に「下地めっき層成長面」とも言う。）、すなわち銅条２の圧延面は、下地めっき層３の成長速度が下地めっき層成長面で面内均一となるように形成されている。すなわち、下地めっき層成長面には、非晶質な領域又は結晶粒径が非常に小さな（微細な）結晶粒（例えば直径換算で１０ｎｍ程度以下の結晶粒）からなる領域（以下では、「微細結晶粒領域」とも言う。）の少なくともいずれかが形成されている。また、非晶質な領域又は微細結晶粒領域の少なくともいずれかは、下地めっき層成長面内に均一に分布しているとよい。これにより、下地めっき層３としての例えば銅（Ｃｕ）めっき層やニッケル（Ｎｉ）めっき層の成長速度が、下地めっき層成長面内で面内均一となる。従って、下地めっき層３の厚さが、下地めっき層成長面で面内均一となり、下地めっき層３の表面が平坦となる。その結果、後述するように、下地めっき層３上に形成される表面めっき層４としての光を反射させる銀（Ａｇ）めっき層の表面が平坦となるため、表面めっき層４の反射率を高くできる。
【００２５】
下地めっき層成長面は、ＥＢＳＤ（Electron Back Scattering Diffracted Pattern）法にて、測定領域（観察領域）を９０μｍ×１２０μｍとし、測定間隔（ステップサイズ）を０．２μｍとして測定することで得られる信頼性指数（ＣＩ値；Confidence Index値）が０．１以下である測定点の割合が５０％以上、好ましくは６８％以上である面であるとよい。
【００２６】
ＣＩ値が０．１以下である測定点の割合とは、測定領域における測定点の総数に対するＣＩ値が０．１以下である測定点の割合である。例えば、測定領域が９０μｍ×１２０μｍであり、ステップサイズが０．２μｍである場合、測定領域内の測定点の総数は２７０，０００点となる。従って、この場合、ＣＩ値が０．１以下である測定点の割合が５０％以上とは、ＣＩ値が０．１以下である測定点の数が１３５，０００点以上あることを言う。
【００２７】
また、ＣＩ値とは、ＥＢＳＤ法にて、すなわちＥＢＳＤ装置を用いて下地めっき層成長面の結晶粒の結晶方位を測定し、解析した結果の信頼性（測定精度）を示す値である。ＥＢＳＤ法を用いることで、銅条２の極表面のみの情報を得ることができる。例えば、加速電圧を２０ｋＶとした場合、下地めっき層成長面から３０ｎｍ〜５０ｎｍ程度の深さまでの情報のみを得ることができる。また、ＣＩ値は、測定点ごとに測定可能である。ＥＢＳＤ法では、非晶質な領域や、１つの測定点中に異なる結晶方位を有する複数の微細な結晶粒（例えば直径換算で１０ｎｍ程度以下の結晶粒）が含まれる領域（すなわち微細結晶粒領域）の結晶粒の結晶方位を正しく測定することが難しい。従って、このような測定点では、ＥＢＳＤ法による解析結果の信頼性が低下し、ＣＩ値が低くなる。すなわち、ＣＩ値が０．１以下の測定点は、ＥＢＳＤ法にて結晶粒の結晶方位が正しく測定されていない可能性があると判定される。従って、ＣＩ値が０．１以下の測定点は、非晶質な領域又は微細結晶粒領域であると判定される。これに対し、ＣＩ値が０．１を超える測定点は、ＥＢＳＤ法にて結晶粒の結晶方位が正しく測定され、解析されていると判定される。すなわち、ＣＩ値が０．１を超える測定点は、結晶化が進み、結晶性が高い領域（非晶質な領域又は微細結晶粒領域ではない領域）と判定される。なお、ＣＩ値の測定方法については後述する。
【００２８】
上述したように、下地めっき層成長面は、所定の測定領域内において、ＣＩ値が０．１以下である測定点の割合が５０％以上、好ましくは６８％以上である面であるとよい。このような下地めっき層成長面であれば、実質的に、同じ結晶方位を有する結晶粒が、銅条２の圧延方向に沿って１０μｍ〜３０μｍの長さで連続して形成されることがない。従って、下地めっき層３が銅条２の下地めっき層成長面上に成長されて形成される際、下地めっき層３の成長速度を下地めっき層成長面で面内均一にできる。これにより、下地めっき層３は、下地めっき層成長面で面内均一に成長されて、下地めっき層３の表面が平坦になる。その結果、下地めっき層３上に形成される表面めっき層４の表面を平坦にでき、表面めっき層４の反射率を向上させることができる。
【００２９】
また、ＣＩ値が０．１以下である測定点が、測定領域内で、できるだけ均一に分布されているとよい。これにより、下地めっき層３の成長速度を、下地めっき層成長面でより面内均一にできる。
【００３０】
ＣＩ値の測定は、例えばケミカルエッチングにより下地めっき層成長面（すなわち測定面）が５０ｎｍ以上、好ましくは５０ｎｍ以上１００ｎｍ以下除去された後、行われるとよい。これにより、下地めっき層成長面上に形成されてしまった自然酸化膜や、下地めっき層成長面に付着してしまった汚染物質を除去できる。従って、例えば、結晶性が高い領域が、非晶質な領域又は微細結晶粒領域であると判定されてしまうことを抑制できる。その結果、下地めっき層成長面のＣＩ値の測定をより正確に行うことができる。
【００３１】
（ＣＩ値の測定方法）
以下では、ＥＢＳＤ法にて、銅条２の下地めっき層成長面を測定することで、下地めっき層成長面のＣＩ値を得る方法について説明する。
【００３２】
まず、例えばＥＢＳＤ装置を用い、銅条２の下地めっき層成長面上の複数の測定点（照射点）に電子線を照射して、各測定点で回折パターン（電子後方散乱回折像）を得る。ＥＢＳＤ装置としては、例えば株式会社日立ハイテクノロジーズ製の走査型電子顕微鏡（ＳＵ−７０）に装着された株式会社ＴＳＬソリューションズ製の結晶方位解析（ＯＩＭ；Orientation Imaging Microscopy）装置を用いることができる。銅条２の下地めっき層成長面に電子線が照射される際、銅条２は例えば７０°の傾斜角度で保持されている。また、ＥＢＳＤ装置の加速電圧は例えば２０ｋＶとする。これにより、下地めっき層成長面から３０ｎｍ〜５０ｎｍ程度の深さまでの情報のみを得ることができる。
【００３３】
次に、得られた各測定点での回折パターンに基づいて、各測定点における結晶粒の結晶方位を決定する。すなわち、例えばコンピュータによって各測定点での回折パターンが解析され、コンピュータによって最も信頼性が高いと判断された結晶方位が選択される。そして、この選択された結晶方位が各測定点における結晶方位と決定される。このとき、下地めっき層成長面が非晶質な領域であると回折パターンが得られない。また、下地めっき層成長面が微細結晶粒領域である場合、高分解能ＴＥＭで格子像が得られる結晶粒であっても、ＥＢＳＤ装置では回折パターンが得られないことがある。すなわち、下地めっき層成長面が微細結晶粒領域であると、１つの測定点中に結晶方位の異なる複数の微細な結晶粒が含まれているため、非晶質な領域と同様に回折パターンが得られない。このため、例えばコンピュータによって回折パターンが解析される際、下地めっき層成長面の非晶質な領域や微細結晶粒領域では、コンピュータは、回折パターンが得られない状況で測定点毎にランダムな結晶方位を選択する。
【００３４】
具体的には、各測定点での結晶方位の決定は、以下に記載するように行われる。例えば、ＥＢＳＤ法にて結晶方位が測定されて解析される面（すなわち下地めっき層成長面）が銅（Ｃｕ）等のＦＣＣ金属である場合、ＥＢＳＤ装置（ＥＢＳＤ装置が備えるＯＩＭ解析ソフトウェア）は、通常、各測定点での回折パターンからそれぞれ、７本のバンド（検知線）を検出する。そして、検出した７本のバンドから３本のバンドを選び、角度関係から結晶方位を推定する。７本のバンドから３本のバンドを選ぶ組み合わせは３５通りある。従って、３５通り全ての組み合わせ毎に結晶方位を推定する。各組み合わせで推定される結晶方位は全て同じ方位となるとは限らない。すなわち、各組み合わせで推定される結晶方位は１つとは限らず、複数の結晶方位が推定される場合がある。３５通り全ての組み合わせ毎に推定された結晶方位のうち、最も多く推定された結晶方位が、測定点における結晶方位として決定される。
【００３５】
次に、得られた各測定点での結晶方位に基づいて、隣り合う測定点における結晶方位の方位差を算出する。この方位差が許容角度（Tolerance Angle）（例えば５°）未満であれば、同一の結晶粒とみなし、この方位差が許容角度（例えば５°）以上であれば、異なる結晶粒とみなす。
【００３６】
得られた結晶方位によって結晶粒の色分けを行い、ＩＰＦ（Inverse Pole Figure）マップを得る。このとき、同一の結晶方位を有する結晶粒には、同一の色が付される。すなわち、ＩＰＦマップでは、結晶化している領域は、その結晶粒の大きさ（粒径）に応じて同一色の領域が示される。
【００３７】
次に、各測定点での信頼性指数（ＣＩ値）を算出して得る。以下では、上述の７本のバンドから３本のバンドを選び、各測定点における結晶方位を決定する場合を例に、ＣＩ値を算出する方法について説明する。すなわち、３５通りの各組み合わせで推定された結晶方位のうち、推定された結晶方位の回数を例えばＶｏｔｅ数と呼ぶとする。最も大きいＶｏｔｅ数と二番目に大きいＶｏｔｅ数との差が大きいほど、推定された結晶方位の信頼性が高いと言える。ＣＩ値は、このような考え方に基づき、下記（式１）から算出される。
（式１）
ＣＩ値＝（Ｖ１−Ｖ２）／Ｖｉｄｅａｌ
ここで、Ｖ１は最も大きいＶｏｔｅ数、Ｖ２は二番目に大きいＶｏｔｅ数、Ｖｉｄｅａｌは組み合わせ数である。例えば、７本のバンドから３本のバンドを選ぶ際、Ｖｉｄｅａｌは３５となる。
【００３８】
ＣＩ値は０．０から１．０までの値をとる。例えば、３５通りの組み合わせがある場合、Ｖ１＝３５、Ｖ２＝０のときにＣＩ値＝１．０となり、最も信頼性が高くなる。これに対し、Ｖ１＝Ｖ２のときにＣＩ値＝０．０となり、最も信頼性が低くなる。
【００３９】
一般的に、例えばＣｕ等のＦＣＣ金属では、ＣＩ値が０．２〜０．３以上である測定点では、９０％以上の確率で正しく結晶方位が測定されて選択されていると言われている。これに対し、ＣＩ値が０．１以下である測定点では、最も多く推定された（Ｖｏｔｅ数が最も大きい）結晶方位と、二番目に多く推定された（Ｖｏｔｅ数が二番目に大きい）結晶方位とが、同じ程度の確率で選択されている可能性があるほど、選択された結晶方位の信頼性が低いことになる。すなわち、ＣＩ値が０．１以下である測定点は、回折パターンが得られない非晶質な領域又は微細結晶粒領域であることになる。このような手順で、全測定点についてＣＩ値をそれぞれ算出する。
【００４０】
そして、ＩＰＦマップと、全測定点のＣＩ値の分布とを比べて見ると、測定領域内においてＣＩ値が０．１以下である測定点が多い箇所ほど、非晶質な領域又は微細結晶粒領域が多い箇所であることが分かる。
【００４１】
上述したように、銅条２の下地めっき層成長面上には、下地めっき層３が成長されて形成されている。下地めっき層３として、例えば銅（Ｃｕ）めっき層又はニッケル（Ｎｉ）めっき層の少なくともいずれかが成長されて形成されているとよい。上述したように、下地めっき層３が形成される銅条２の下地めっき層成長面には、非晶質な領域又は微細結晶粒領域の少なくともいずれかが形成されている。これにより、下地めっき層３の成長速度が、銅条２の下地めっき層成長面上で面内均一となる。従って、下地めっき層３は、下地めっき層成長面に面内均一に成長されて、下地めっき層３の表面が平坦になる。すなわち、下地めっき層３の表面の平滑度を向上させることができる。
【００４２】
下地めっき層３上には、表面めっき層４が成長されて形成されている。表面めっき層４として、反射率（光反射率）の高い例えば銀（Ａｇ）めっき層が成長されて形成されているとよい。表面めっき層４は、例えば電解めっきにより成長されて形成されるとよい。このように、表面めっき層４は、表面が平坦である（すなわち平滑度が高い）下地めっき層３上に形成されている。これにより、表面めっき層４は下地めっき層３上に面内均一に成長されるため、表面めっき層４の表面が平坦となる。すなわち、表面めっき層４の表面の平滑度を向上させることができる。従って、表面めっき層４の光沢度を向上させることができ、反射率を向上させることができる。
【００４３】
このようなめっき付銅条１は、例えばリードフレーム等に好適に用いられる。例えば、めっき付銅条１に金型等を用いた打ち抜き加工を行うことで、例えばリードフレームが形成される。
【００４４】
（２）銅条及びめっき付銅条の製造方法
次に、本実施形態にかかる銅条２及びめっき付銅条１の製造方法の一実施形態について、主に図２を用いて説明する。図２は、本実施形態にかかる銅条２及びめっき付銅条１の製造工程を示すフロー図である。
【００４５】
（鋳造工程（Ｓ１０））
図２に示すように、まず、例えば坩堝式溶解炉、チャネル式溶解炉等の電気炉を用い、母材である銅（Ｃｕ）を溶解して銅の溶湯を製造する。なお、銅合金の鋳塊を鋳造する場合は、銅の溶湯中に所定量の所定元素を添加し、銅合金の溶湯を製造する。そして、この銅の溶湯又は銅合金の溶湯を鋳型に供給して、厚さが１５０ｍｍ〜２５０ｍｍ程度、幅が４００ｍｍ〜１０００ｍｍ程度であり、矩形断面を有する銅又は銅合金の鋳塊（ケーク）を鋳造する。
【００４６】
（熱間圧延工程（Ｓ２０））
鋳造工程（Ｓ１０）が終了した後、鋳造したケークを所定温度に加熱して熱間圧延処理を行い、所定厚さの熱延材を形成する。すなわち、所定温度（例えば８００℃以上１０００℃以下）に加熱した加熱炉中にケークを搬入する。そして、加熱炉中で所定時間（例えば３０分以上）ケークを保持してケークを加熱する。所定時間経過後、ケークを加熱炉から搬出し、熱間圧延機を用い、例えば室温でケークを所定厚さ（例えば１０ｍｍ〜１５ｍｍ）となるように圧延して熱延材を形成する。熱間圧延処理が終了した後は、なるべく速やかに熱延材を例えば室温程度まで冷却するとよい。
【００４７】
熱間圧延処理の処理温度、すなわち加熱炉の加熱温度は、銅合金の化学組成によって調整するとよい。例えば、銅合金中に添加した添加物を析出させた銅合金（析出型銅合金）では、熱間圧延処理の処理温度（特に熱間圧延処理の開始温度）は、銅合金中に添加している元素が固溶する温度であると良い。これにより、熱間圧延処理によって熱延材の表面に形成される酸化膜（酸化スケール）を低減できる。すなわち、熱間圧延処理の処理温度が高すぎると、熱延材の表面に形成される酸化スケールが増大する場合がある。
【００４８】
（面削工程（Ｓ３０））
熱間圧延工程（Ｓ２０）が終了した後、面削を行うことで、熱間圧延処理により熱延材の表面に形成された酸化膜（酸化スケール）を削り、酸化膜を除去する。
【００４９】
（冷間圧延工程・焼鈍工程（Ｓ４０・Ｓ５０））
面削工程（Ｓ３０）が終了した後、熱延材に、所定の加工度の冷間圧延処理（冷間圧延工程（Ｓ４０））と、所定温度で所定時間加熱する焼鈍処理（焼鈍工程（Ｓ５０））とを所定回数繰り返して行い、所定厚さの生地と呼ばれる冷延材を形成する。熱延材に冷間圧延処理による加工歪みを与えることで、銅条２の強度を向上させることができる。なお、焼鈍処理は、時効処理を含んでいてもよい。
【００５０】
（バフ研磨工程（Ｓ６０））
冷間圧延工程（Ｓ４０）と焼鈍工程（Ｓ５０）とを所定回数繰り返して行った後、冷延材の圧延面、すなわち下地めっき層成長面となる面を研磨するバフ処理を行う。バフ処理は、銅条２の下地めっき層成長面（すなわち圧延面）に、非晶質な領域又は微細結晶粒領域の少なくともいずれかが形成されるように行う。すなわち、バフ処理は、ＥＢＳＤ法にて、測定領域を９０μｍ×１２０μｍとし、ステップサイズを０．２μｍとして測定することで得られる下地めっき層成長面のＣＩ値が０．１以下である測定点の割合が５０％以上、好ましくは６８％以上となるように行うとよい。バフ処理は、例えば、表面に研磨砥粒が付着した円筒状のバフを用いて行う。そして、このようなバフを、銅条２の下地めっき層成長面上で所定方向（例えば時計回り方向）に回転させることで、バフの表面上の研磨砥粒により、銅条２の下地めっき層成長面の表面を研磨し、下地めっき層成長面に非晶質な領域又は微細結晶粒領域の少なくともいずれかを形成する。このとき、研磨砥粒として、番手が＃６００〜＃３０００相当の粒径を有するものを用いるとよい。
【００５１】
（仕上圧延工程（Ｓ７０））
バフ研磨工程（Ｓ６０）が終了した後、冷延材に、所定の加工度で仕上圧延処理を行い、所定厚さ（例えば０．２ｍｍ）の銅条２を形成する。なお、仕上圧延工程（Ｓ７０）が終了した後は、銅条２に焼鈍処理を行わない方が良い。仕上圧延工程（Ｓ７０）が終了した後に焼鈍処理を行うと、銅条２の下地めっき層成長面の結晶組織が変わることがある。すなわち、下地めっき層成長面に形成された非晶質な領域又は微細結晶粒領域が、非晶質な領域又は微細結晶粒領域でなくなることがある。これにより、本実施形態にかかる銅条２が製造される。
【００５２】
（下地めっき層形成工程（Ｓ８０））
仕上圧延工程（Ｓ７０）が終了した後、銅条２の下地めっき層成長面（圧延面）上に、所定厚さの下地めっき層３を形成する。下地めっき層３として、例えばＣｕめっき層又はＮｉめっき層の少なくともいずれかを形成する。
【００５３】
（表面めっき層形成工程（Ｓ９０））
下地めっき層形成工程（Ｓ８０）が終了したら、下地めっき層３上に、光を反射させる表面めっき層４として例えばＡｇめっき層を形成する。これにより、本実施形態にかかるめっき付銅条１が製造されて、その製造工程を終了する。
【００５４】
（３）本実施形態にかかる効果
本実施形態によれば、以下に示す１つまたは複数の効果を奏する。
【００５５】
（ａ）本実施形態によれば、下地めっき層３が成長されることとなる銅条２の下地めっき層成長面には、下地めっき層３の成長速度が下地めっき層成長面で面内均一となるように、非晶質な領域又は微細結晶粒領域の少なくともいずれかが形成されている。これにより、下地めっき層３が、下地めっき層成長面上に面内均一に成長されるため、下地めっき層３の表面が平坦になる。その結果、下地めっき層３上に成長されて形成される表面めっき層４（例えばＡｇめっき層）の表面が平坦になり、表面めっき層４の光反射率が向上する。
【００５６】
（ｂ）本実施形態によれば、下地めっき層成長面は、ＥＢＳＤ法にて、測定領域を９０μｍ×１２０μｍとし、測定間隔を０．２μｍとして測定することで得られる信頼性指数（ＣＩ値）が０．１以下である測定点の割合が５０％以上、好ましくは６８％以上である面である。すなわち、下地めっき層成長面は、非晶質な領域又は微細結晶粒領域の割合が５０％以上、好ましくは６８％以上である面である。これにより、銅条２の下地めっき層成長面上に、表面がより平坦な下地めっき層３を成長させて形成できる。従って、下地めっき層３上に成長されて形成される表面めっき層４の表面をより平坦にでき、表面めっき層４の光反射率をより向上させることができる。
【００５７】
（ｃ）本実施形態によれば、下地めっき層成長面のＣＩ値の測定は、ケミカルエッチングにより下地めっき層成長面が５０ｎｍ以上除去された後、行われている。これにより、下地めっき層成長面のより正確なＣＩ値を得ることができる。
【００５８】
（ｄ）本実施形態によれば、めっき付銅条１は、非晶質な領域又は微細結晶粒領域の少なくともいずれかが形成された下地めっき層成長面を有する銅条２を備えて構成されている。すなわち、銅条２の下地めっき層成長面上に、銅条２の側から順に、下地めっき層３と表面めっき層４とがそれぞれ成長されて、めっき付銅条１が形成されている。従って、めっき付銅条１は、表面めっき層４の表面が平坦となり、光反射率が高くなる。
【００５９】
（ｅ）本実施形態によれば、めっき付銅条１を用いてリードフレームを形成している。これにより、例えばリードフレーム上に発光素子が搭載されて発光ダイオードが形成された場合、発光ダイオードの光取出効率を向上させることができる。
【００６０】
（本発明の他の実施形態）
以上、本発明の一実施形態を具体的に説明したが、本発明は上述の実施形態に限定されるものではなく、その要旨を逸脱しない範囲で適宜変更可能である。
【００６１】
例えば、下地めっき層３及び表面めっき層４が形成されためっき付銅条１を用いてリードフレームが形成され、リードフレームに発光素子が搭載されて発光ダイオード（ＬＥＤ）が形成される場合、銅条２の外部配線との接続部には、電気的な接続の信頼性を向上させるために、めっき処理が行われていてもよい。このようなめっき処理としては、例えば銀（Ａｇ）、ニッケル（Ｎｉ）、パラジウム（Ｐｄ）等を用いて行うとよい。
【００６２】
また、銅条２は、リードフレーム以外の用途に用いてもよい。例えば、銅条２の下地めっき層成長面上に、他のＦＣＣ金属を含有するめっき層が成長されて形成されていれば、下地めっき層３と表面めっき層４とが形成されていなくてもよい。この場合においても、めっき層の表面を平坦にでき、光沢度を向上させることができる。従って、めっき層の表面の外観上の美しさや光沢度が重視される用途全般において効果的に利用することができる。
【実施例】
【００６３】
次に、本発明の実施例を説明するが、本発明はこれらに限定されるものではない。
【００６４】
（実施例１）
実施例１では、２．１ｗｔ％〜２．６ｗｔ％の鉄（Ｆｅ）と、０．０５ｗｔ％〜０．２ｗｔ％の亜鉛（Ｚｎ）と、０．０１５ｗｔ％〜０．１５ｗｔ％の燐（Ｐ）とが含まれ、残部が９７ｗｔ％以上の銅（Ｃｕ）及び不可避的不純物から成る銅合金（Ｃ１９４：ＣＤＡ  Ｎｏ．Ｃ１９４００）を用いた。このとき、Ｃｕは銅合金中に９７ｗｔ％以上含まれている。そして、坩堝式溶解炉を用い、窒素雰囲気下にて上記銅合金を溶解して溶湯を作製した。その後、溶湯を鋳型に供給し、所定厚さで所定幅のケークを鋳造した。
【００６５】
次に、ケークを所定温度に加熱して熱間圧延処理を行い、所定厚さの熱延材を作製した。そして、熱延材に、所定の加工度の冷間圧延処理と、焼鈍処理とを所定回数繰り返して行い、所定厚さの冷延材を作製した。なお、焼鈍処理は、還元雰囲気下で行った。
【００６６】
そして、冷延材の圧延面、すなわち下地めっき層成長面となる面に所定条件でバフ処理を行った。バフ処理は、作製される試料である銅条の下地めっき層成長面（すなわち圧延面）に非晶質な領域又は微細結晶粒領域が形成されるように行った。そして、バフ処理を行った冷延材に、仕上圧延処理を所定の加工度で行い、厚さが０．２ｍｍの銅条を作製した。これを実施例１の試料とした。
【００６７】
（実施例２〜９及び比較例１〜８）
実施例２〜９及び比較例１〜８では、銅合金の種類を表１に示す通りとするとともに、バフ処理条件を変更した。この他は、上述の実施例１と同様にして銅条を作製した。これらをそれぞれ、実施例２〜９及び比較例１〜８の試料とした。
【００６８】
なお、表１中のＯＦＣとは、０．００１０ｗｔ％以下の酸素（Ｏ）が含まれ、残部が９９．９５ｗｔ％以上のＣｕ及び不可避的不純物から成る銅（無酸素銅）（ＣＤＡ  Ｎｏ．Ｃ１０２００）である。また、ＨＣＬ０２Ｚとは、０．０１５ｗｔ％〜０．０３ｗｔ％のジルコニウム（Ｚｒ）が含まれ、Ｃｕ及びＺｒの合計重量（Ｃｕ＋Ｚｒ）が９９．９６ｗｔ％以上である銅合金（ＣＤＡ  Ｎｏ．Ｃ１５１５０）である。また、ＨＣＬ３０５とは、コルソン系の銅合金と呼ばれるもので、１．５ｗｔ％〜２．０ｗｔ％の亜鉛（Ｚｎ）と、２．２ｗｔ％〜２．８ｗｔ％のニッケル（Ｎｉ）と、０．０１５ｗｔ％〜０．０６ｗｔ％の燐（Ｐ）と、０．３ｗｔ％〜０．７ｗｔ％のシリコン（Ｓｉ）とが含まれ、残部がＣｕ及び不可避的不純物から成る銅合金である。
【００６９】
【表１】
2015030892.tif 000003
【００７０】
（前処理工程）
次に、実施例１〜９及び比較例１〜８の各試料に、表２に示す条件で、陰極電解脱脂工程と酸洗工程とを行い、試料の表面を清浄化する前処理を行った。すなわち、前処理を行うことで、各試料の表面に形成されてしまった自然酸化膜や、各試料の表面に付着してしまった汚染物質を除去した。なお、本実施例における酸洗工程の処理条件は、各試料に表面めっき層としての銀（Ａｇ）めっき層を成長させて形成する際の量産Ａｇめっきラインにおける酸洗処理の条件を想定した。また、酸洗処理の条件は、量産Ａｇめっきラインにおける酸洗処理の条件の範囲内でエッチング量が多くなる条件とした。具体的には、量産Ａｇめっきラインにおける酸洗処理でエッチングされる量（エッチング量）は一般的に５０ｎｍ〜１００ｎｍである。従って、本実施例においても、酸洗工程でのエッチング量が５０ｎｍ〜１００ｎｍとなるような処理条件とした。
【００７１】
【表２】
2015030892.tif 000004
【００７２】
表２に示すように、陰極電解脱脂工程では、陽極としてＳＵＳ板を用い、水酸化ナトリウム２０ｇ／Ｌと、炭酸ナトリウム２０ｇ／Ｌとを含む水溶液中にて、液温を４０℃とし、電流密度を５Ａ／ｄｍ２とし、処理時間を３０秒として、各試料に電解脱脂処理を行った。陰極電解脱脂工程が終了した後、各試料を水洗した。その後、酸洗工程では、硫酸５ｗｔ％と、過硫酸カリウム１０ｇ／Ｌとを含む水溶液中に、水溶液の液温を室温として、各試料を１０秒間水溶液に浸漬し、酸洗処理を行った。酸洗工程において、温度条件や過硫酸カリウム（酸化剤）の劣化等でエッチング速度が変動した場合は、エッチング量が５０ｎｍ〜１００ｎｍとなるように、例えば酸洗処理の処理時間（浸漬時間）を適宜調整すればよい。
【００７３】
＜下地めっき層成長面の評価＞
前処理工程が終了した実施例１〜９及び比較例１〜８の各試料について、各試料の下地めっき層成長面（すなわち圧延面）の評価を行った。前処理工程が終了した後に下地めっき層成長面の評価を行うことで、評価をより正確に行うことができる。
【００７４】
（ＣＩ値が０．１以下である測定点の割合の算出）
まず、表３に示す条件で、実施例１〜９及び比較例１〜８の各試料の下地めっき層成長面のＣＩ値が０．１以下である測定点の割合の算出を行った。その結果を、表１に示す。
【００７５】
【表３】
2015030892.tif 000005
【００７６】
すなわち、表３に示すように、ＥＢＳＤ装置として、株式会社日立ハイテクノロジーズ製の走査型電子顕微鏡（ＳＵ−７０）に装着された株式会社ＴＳＬソリューションズ製の結晶方位解析（ＯＩＭ；Orientation Imaging Microscopy）装置を用いた。そして、各試料を７０°傾斜させて保持し、ＥＢＳＤ装置を用い、各試料の下地めっき層成長面（圧延面）上の複数の測定点（照射点）に電子線を照射して、各測定点で回折パターン（電子後方散乱回折像）を得た。このとき、走査型電子顕微鏡の加速電圧を２０ｋＶ、観察倍率を１０００倍とした。また、ＥＢＳＤ装置により電子線を照射する際、各試料は、７０°傾斜されて保持されている。このため、電子線照射位置（測定点）により焦点がシフトする。焦点が合わないまま測定すると、ＩＱ（Image Quality）値が低くなり、適切な測定、解析ができなくなるため、傾斜焦点補正を行った。また、傾斜焦点補正は、観察倍率に合わせて正確に行った。そして、得られた結晶方位に基づいてＩＰＦマップを作成した。また、得られた各測定点での回折パターンに基づいて、各測定点における結晶粒の結晶方位を測定して解析し、各測定点におけるＣＩ値を算出して得た。
【００７７】
次に、実施例１〜９及び比較例１〜８の各試料毎に、全ての測定点について得られたＣＩ値に基づいて、観察領域における測定点の総数に対するＣＩ値が０．１以下の測定点の割合を算出した。本実施例では、観察領域を９０μｍ×１２０μｍとし、測定間隔（ステップサイズ）を０．２μｍとしたので、観察領域における測定点の総数は２７０，０００点となる。
【００７８】
（銅条の下地めっき層成長面の解析結果）
得られたＩＰＦマップの一例を図３に示す。図３は、銅合金としてＣ１９４を用いた実施例１、実施例２、実施例９、比較例１及び比較例２の各試料のＩＰＦマップである。図３から、実施例１、実施例２及び実施例９の各試料の下地めっき層成長面は、非晶質な領域又は微細結晶粒領域が多く形成されていることを確認した。すなわち、実施例１、実施例２及び実施例９の各試料の下地めっき層成長面は、連続した複数の測定点が同じ結晶方位を示す、又は方位差が許容角度（Tolerance Angle；本実施例では５°）未満を示すため同一の結晶粒とみなされ、粒径の大きな結晶粒が形成されていると認識される箇所が点在しているが、観察領域のほとんどは、測定点毎にランダムな結晶方位を示す結晶粒により形成されていることを確認した。また、これら各試料の下地めっき層成長面は、非晶質な領域又は微細結晶粒領域が、観察領域内に均一に分布している、すなわち特定の箇所に偏って存在していないことを確認した。
【００７９】
これに対し、比較例１及び比較例２の各試料の下地めっき層成長面には、粒径の大きな結晶粒が形成されていることを確認した。また、これらの結晶粒は、圧延方向（紙面の上下方向）に沿って所定長さに連続して形成されていることを確認した。すなわち、比較例１及び比較例２の各試料の下地めっき層成長面の結晶組織は、圧延方向と同じ方位の結晶方位や圧延方向に近い方位の結晶方位を持つ結晶粒が繋がっていることを確認した。
【００８０】
（ＣＩ値の積算分布の解析結果）
また、実施例１、実施例２、実施例９、比較例１及び比較例２の各試料のＣＩ値の積算分布の解析結果を図４に示す。図４は、ＣＩ値とＣＩ値の積算割合との関係を示すグラフ図である。すなわち、図４に示すグラフ図において、例えばＣＩ値が０．３の箇所のＣＩ値の積算割合とは、ＣＩ値が０．３以下である全ての測定点（例えばＣＩ値が０．１や０．２である測定点も含む）の割合を示している。図４及び表１から、所定の観察領域において、ＣＩ値が０．１以下である測定点の割合は、実施例１の試料では８５％であり、実施例２の試料では６８％であり、実施例９の試料では５２％であり、比較例１の試料では３７％であり、比較例２の試料では１６％であることを確認した。また、図４から、実施例１、実施例２及び実施例９の各試料では、ＣＩ値が０．１を超える測定点が少ないため、ＣＩ値が０．１を超えると、積算グラフの勾配がゆるやかになることを確認した。また、比較例１及び比較例２の各試料では、ＣＩ値が０．１を超える測定点が多いため、実施例１、実施例２及び実施例９の各試料の積算グラフと比べて、ＣＩ値が０．１を超える箇所のグラフの勾配が大きくなることを確認した。
【００８１】
（銅条の下地めっき層成長面の評価結果）
図３及び図４から、銅条の下地めっき層成長面は、ＣＩ値が０．１以下である測定点が多いほど、観察領域内に非晶質な領域又は微細結晶粒領域が多く形成されていることを確認した。すなわち、ＣＩ値が０．１以下である測定点は、非晶質な領域又は微細結晶粒領域であるため、結晶方位が正しく測定できない箇所であることを確認した。
【００８２】
＜反射率の評価＞
次に、実施例１〜９及び比較例１〜８の各試料の下地めっき層成長面上に、表４に示す条件で下地めっき層を成長させて形成し、下地めっき層上に表面めっき層を成長させて形成してめっき付銅条をそれぞれ作製した。そして、表面めっき層の反射率を測定して評価した。
【００８３】
【表４】
2015030892.tif 000006
【００８４】
（前処理工程）
すなわち、まず、実施例１〜９及び比較例１〜８の各試料に、表４に示す条件で、陰極電解脱脂工程と酸洗工程とを行い、試料の表面を清浄化する前処理を行った。すなわち、陰極電解脱脂工程では、陽極としてＳＵＳ板を用い、水酸化ナトリウム２０ｇ／Ｌと、炭酸ナトリウム２０ｇ／Ｌとを含む水溶液中にて、液温を４０℃とし、電流密度を５Ａ／ｄｍ２とし、処理時間を３０秒として、各試料に電解脱脂処理を行った。陰極電解脱脂工程が終了した後、各試料を水洗した。その後、酸洗工程では、硫酸５ｗｔ％と、過硫酸カリウム１２０ｇ／Ｌとを含む水溶液中に、水溶液の液温を室温として、各試料を１０秒間水溶液に浸漬し、酸洗処理を行った。酸洗工程において、温度条件や過硫酸カリウム（酸化剤）の劣化等でエッチング速度が変動した場合は、エッチング量が５０ｎｍ〜１００ｎｍとなるように、例えば酸洗処理の処理時間（浸漬時間）を適宜調整すればよい。これにより、各試料の表面に形成されてしまった自然酸化膜や、各試料の表面に付着してしまった汚染物質を除去した。
【００８５】
（下地めっき層形成工程）
次に、上述の前処理工程が終了した実施例１〜９及び比較例１〜８の各試料の下地めっき層成長面に、表４に示す条件で、所定厚さの下地めっき層を成長させて形成した。下地めっき層として、銅（Ｃｕ）めっき層又はニッケル（Ｎｉ）めっき層のいずれかを成長させた。なお、下地めっき層の目標めっき厚（目標成膜量）は１μｍとした。
【００８６】
すなわち、下地めっき層としてＣｕめっき層を形成する場合、下地めっき層形成工程では、陽極としてＣｕ板を用い、硫酸銅５水和物２００ｇ／Ｌと、硫酸１００ｇ／Ｌとを含む水溶液中にて、液温を４０℃とし、電流密度を５Ａ／ｄｍ２とし、処理時間を５５秒として、下地めっき層を成長させて形成した。
【００８７】
また、下地めっき層としてＮｉめっき層を形成する場合、下地めっき層形成工程では、陽極としてＮｉ板を用い、硫酸ニッケル６水和物２８０ｇ／Ｌと、塩化ニッケル６水和物４５ｇ／Ｌと、ホウ酸４５ｇ／Ｌとを含む水溶液中にて、液温を４０℃とし、電流密度を５Ａ／ｄｍ２とし、処理時間を５５秒として、下地めっき層を成長させて形成した。
【００８８】
（表面めっき層形成工程）
続いて、下地めっき層を形成した実施例１〜９及び比較例１〜８の各試料に、表４に示す条件で、表面めっき層を成長させて形成した。すなわち、各試料の下地めっき層上に、表面めっき層としての銀（Ａｇ）めっき層を成長させて形成した。なお、表面めっき層の目標めっき厚（目標成膜量）は３μｍとした。
【００８９】
すなわち、表面めっき層形成工程では、シアン化銀３６ｇ／Ｌと、シアン化カリウム６０ｇ／Ｌと、炭酸カリウム１５ｇ／Ｌと、セレンシアン酸カリウム７０ｍｇ／Ｌとを含む水溶液中にて、液温を室温とし、電流密度を４Ａ／ｄｍ２とし、処理時間を２１０秒として、表面めっき層としてのＡｇめっき層を成長させて形成した。
【００９０】
（反射率の測定）
次に、実施例１〜９及び比較例１〜８の各試料を用いて作製しためっき付銅条の反射率の測定を行った。反射率の測定は、表面めっき層形成工程終了後の各試料について行った。すなわち、反射率の測定は、下地めっき層及び表面めっき層が形成された各試料について行った。各試料の反射率の測定は、表５に示す条件で、以下に示すように行った。
【００９１】
【表５】
2015030892.tif 000007
【００９２】
表５に示すように、反射率を測定する装置として、オーシャンフォトニクス株式会社製の装置を組み合わせたものを用いた。そして、照射光の波長を３５０ｎｍ〜８５０ｎｍの範囲で変えて、各波長での反射率をそれぞれ測定した。まず、標準板である鏡面板の表面に３５０ｎｍ〜８５０ｎｍの波長をそれぞれ照射し、各波長での反射光量をそれぞれ測定した。次に、実施例１〜９及び比較例１〜８の各試料の表面めっき層の表面に、３５０ｎｍ〜８５０ｎｍの波長をそれぞれ照射し、各波長での反射光量をそれぞれ測定した。そして、各波長における標準板の反射光量に対する各試料の反射光量の比率を算出し、これを各試料の反射率（％）とした。すなわち、各試料の反射率（％）は、標準板の反射率を１００％としたときの相対反射率で表した。従って、反射率が１００％を超える場合は、標準板よりも反射光量が多かったことを意味し、入射光よりも多くの光が反射されたという意味ではない。なお、本実施例では、簡便のため、人間の目における感度が高い波長５５０ｎｍでの反射率で比較した。その結果を、表１に示す。
【００９３】
（反射率の評価）
図５に、各波長における実施例１及び比較例２の各試料を用いて形成しためっき付銅条の反射率の測定結果をグラフ図で示す。図５から、実施例１の試料を用いて形成しためっき付銅条は、比較例２の試料を用いて形成しためっき付銅条と比べて、全可視光波長域にわたって（すなわち、いずれの波長においても）反射率が高くなることを確認した。例えば、人間の目における感度が最も高い５５０ｎｍの波長の光を照射した際、実施例１の試料を用いて形成しためっき付銅条の反射率は１１３％であるのに対し、比較例２の試料を用いて形成しためっき付銅条の反射率は９８％であった。なお、上述したように、反射率は、標準板の反射光量を１００％としたときの相対反射率である。従って、反射率が１１３％であるとは、標準板よりも１３％多く反射したことを意味する。
【００９４】
また、図６（ａ）に、実施例１の試料を用いて形成しためっき付銅条の表面めっき層の表面のＳＥＭ画像の一例を示し、図６（ｂ）に比較例２の試料を用いて形成しためっき付銅条の表面めっき層の表面のＳＥＭ画像の一例を示す。図６から、実施例１の試料を用いて形成しためっき付銅条の表面めっき層の表面は、比較例２の試料を用いて形成しためっき付銅条と比べて、平坦で均一であり、平滑度が高いことを確認した。これに対し、比較例２の試料を用いて形成しためっき付銅条の表面めっき層の表面には、圧延方向（紙面の左右方向）に沿って、山脈状の凸部が形成され、平滑度が低いことを確認した。
【００９５】
また、図５と図６とを比較することで、銅条の下地めっき層成長面に非晶質な領域又は微細結晶粒領域が形成されていると、下地めっき層の成長速度が下地めっき層成長面で面内均一になることを確認した。これにより、下地めっき層が下地めっき層成長面上に面内均一に成長されるため、下地めっき層の表面が平坦になることを確認した。その結果、下地めっき層上に、表面が平坦な表面めっき層（Ａｇめっき層）を形成でき、表面めっき層の反射率を高くできることを確認した。
【００９６】
＜総合評価＞
表１から、実施例１〜９にかかる試料を用いて形成しためっき付銅条は、標準板と比較して、反射率が高くなることを確認した。すなわち、ＣＩ値が０．１以下である測定点の割合が５０％以上である試料は、銅条の形成材料によらず、反射率が１０８％〜１１６％となることを確認した。このことから、実施例１〜９にかかる試料のように、下地めっき層成長面に非晶質な領域又は微細結晶粒領域が形成されていると、下地めっき層の成長速度が下地金属成長面で面内均一となり、下地めっき層の表面が平坦になることを確認した。その結果、下地めっき層上に形成される表面めっき層（Ａｇめっき層）の表面が平坦となり、反射率が高くなることを確認した。
【００９７】
このような実施例１〜９にかかる各試料が例えばＬＥＤ（ＬＥＤモジュール）に用いられると、ＬＥＤの光学性能の評価が高くなる。すなわち、例えば、ＬＥＤの光学性能の評価を、積分球を用いて測定した全光束によって行う場合、高い全光束を得ることができる。なお、表面めっき層の反射率が高いほど、ＬＥＤの光学性能の評価は高くなる、すなわち全光束が大きくなる。
【００９８】
これに対し、比較例１〜８にかかる試料を用いて形成しためっき付銅条は、標準板と比較して、反射率が低くなることを確認した。すなわち、ＣＩ値が０．１以下である測定点の割合が５０％未満である試料は、反射率が９５％〜９９％となることを確認した。このことから、銅条の下地めっき層成長面が、結晶性が高い領域（非晶質な領域又は微細結晶粒領域でない領域）が多い面であると、下地めっき層が、下地めっき層成長面の結晶粒（結晶組織）の結晶方位に起因してエピタキシャルに成長され、下地めっき層成長面で、下地めっき層の成膜量に差が生じてしまうことを確認した。すなわち、比較例１〜８にかかる試料では、下地めっき層成長面で下地めっき層の成長速度が面内均一にならないことを確認した。従って、下地めっき層が下地めっき層成長面上に面内均一に成長されず、下地めっき層の表面が平坦ではなくなることを確認した。その結果、比較例１〜８にかかる試料では、下地めっき層上に形成される表面めっき層の表面に山脈状の凸部が形成されてしまい、平滑度が低くなることを確認した。これにより、比較例１〜８の試料では、表面めっき層の反射率が低くなることを確認した。
【符号の説明】
【００９９】
１        めっき付銅条
２        銅条
３        下地めっき層
４        表面めっき層
【図１】
2015030892.tif 000008
【図２】
2015030892.tif 000009
【図３】
2015030892.tif 000010
【図４】
2015030892.tif 000011
【図５】
2015030892.tif 000012
【図６】
2015030892.tif 000013
【図７】
2015030892.tif 000014